(57)【要約】【課題】  視聴者側で放送番組の前提情報がカットされた場合に、放送番組の利用を制限する。【解決手段】  放送システムとして、制御情報１を含む第１放送データと制御情報２を含む第２放送データとを順次同一チャンネルで送信する放送局１０と、第１及び第２放送データが順次取込まれたとき、入力される指令に基づいて、制御情報１，２に基づく処理を実行する放送受信機２０とを備える。これにより、第１又は第２放送データを前提情報としたとき、視聴者側で放送番組の前提情報がカットされた場合に、第１又は第２制御情報のいずれかが欠けるので、放送番組の利用を制限することができる。【選択図】  図１
2008104239.tif 000002
【特許請求の範囲】
【請求項１】
入力された視聴必須データに視聴必須データ識別番号を割り当て、この視聴必須データ識別番号を前記視聴必須データ内に挿入すると共に、この視聴必須データ識別番号に対応する応募資格情報を前記視聴必須データに挿入して得られた視聴必須データを送出する応募資格情報挿入手段と、
入力された懸賞募集番組データに前記応募資格情報挿入手段で割り当てられた視聴必須データ識別番号を挿入すると共に、この懸賞募集番組データに対応する制御情報をも前記懸賞募集番組データに挿入して得られた懸賞募集番組データを送出する募集放送内情報挿入手段と、
前記応募資格情報挿入手段から送出された視聴必須データと、前記募集放送内情報挿入手段から送出された懸賞募集番組データとを順次同一チャンネルで送信する送信手段と、
前記応募資格情報挿入手段、前記募集放送内情報挿入手段及び前記送信手段を備えた放送装置と、
前記放送装置から送信された視聴必須データ及び懸賞募集番組データを受信し、当該視聴必須データ及び懸賞募集番組データを別々に送出する受信手段と、
前記受信手段から送出された視聴必須データから視聴必須データ識別番号及び応募資格情報を抽出して保持する応募資格情報抽出手段と、
前記受信手段から送出された懸賞募集番組データから視聴必須データ識別番号及び制御情報を抽出し、前記制御情報を保持する一方、当該視聴必須データ識別番号を送出する募集放送内抽出手段と、
前記募集放送内抽出手段から受けた視聴必須データ識別番号と、応募資格情報抽出手段に保持された視聴必須データ識別番号とが一致するか否かを判定し、この判定結果に応じて判定出力信号を送出する一致判定手段と、
利用者の操作により、懸賞募集番組の懸賞への応募に関する応募指令を入力するキー入力手段と、
前記判定結果が両者の不一致を示すとき又は前記応募資格情報抽出手段が視聴必須データ識別番号を保持していないときに前記一致判定手段から送出される判定出力信号を受けると、前記募集放送内抽出手段に保持された制御情報に基づいて、前記応募指令による応募処理に関して制限を加える制限手段と、
前記受信手段、前記応募資格情報抽出手段、前記募集放送内抽出手段、前記一致判定手段、前記キー入力手段及び前記制限手段を備えた受信装置と、
を備えたことを特徴とする放送システム。
【請求項２】
請求項１に記載の放送システムにおいて、
前記応募資格情報挿入手段は、前記視聴必須データ識別番号及び前記応募資格情報を電子透かしとして前記視聴必須データに挿入し、
前記募集放送内情報挿入手段は、前記視聴必須データ識別番号及び前記制御情報を電子透かしとして前記懸賞募集番組データに挿入し、
前記応募資格情報抽出手段は、電子透かしとして挿入された前記視聴必須データ識別番号及び前記応募資格情報を前記視聴必須データから抽出し、
前記募集放送内情報抽出手段は、電子透かしとして挿入された前記視聴必須データ識別番号及び前記制御情報を前記懸賞募集番組データから抽出することを特徴とする放送システム。
【請求項３】
請求項１又は請求項２に記載の放送システムにおいて、
前記一致判定手段による判定結果が両者の一致を示すときに当該一致判定手段から送出される判定出力信号を受けると、前記キー入力手段から入力された応募指令に従い、前記各抽出手段に保持された応募資格情報及び制御情報に基づいて、懸賞募集番組データ毎に設定された前記応募処理を実行する応募処理手段、
を備えたことを特徴とする放送システム。
【請求項４】
請求項１乃至請求項３のいずれか１項に記載の放送システムにおいて、
前記受信装置は、
前記キー入力手段、前記応募処理手段及び前記制限手段に代えて、
利用者の操作により、懸賞募集番組への参加に関する参加指令を入力する参加指令キー入力手段と、
前記判定結果が両者の一致を示すときに前記一致判定手段から送出される判定出力信号を受けると、前記参加指令キー入力手段から入力された参加指令に従い、前記各抽出手段に保持された応募資格情報及び制御情報に基づいて、懸賞募集番組データ毎に設定された参加処理を実行する参加処理手段と、
前記判定結果が両者の不一致を示すとき又は前記応募資格情報抽出手段が視聴必須データ識別番号を保持していないときに前記一致判定手段から送出される判定出力信号を受けると、前記募集放送内抽出手段に保持された制御情報に基づいて、前記参加処理手段による参加処理に関して制限を加える参加制限手段と、
を備えたことを特徴とする放送システム。
【請求項５】
視聴必須データ識別番号及び応募資格情報を挿入した視聴必須データと、視聴必須データ識別番号及び制御情報を挿入した懸賞募集番組データとを順次同一チャンネルで送信する放送装置から離間して配置される受信装置であって、
前記放送装置から送信された視聴必須データ及び懸賞募集番組データを受信し、当該視聴必須データ及び懸賞募集番組データを別々に送出する受信手段と、
前記受信手段から送出された視聴必須データから視聴必須データ識別番号及び応募資格情報を抽出して保持する応募資格情報抽出手段と、
前記受信手段から送出された懸賞募集番組データから視聴必須データ識別番号及び制御情報を抽出し、前記制御情報を保持する一方、当該視聴必須データ識別番号を送出する募集放送内情報抽出手段と、
前記募集放送内情報抽出手段から受けた視聴必須データ識別番号と、応募資格情報抽出手段に保持された視聴必須データ識別番号とが一致するか否かを判定し、この判定結果に応じて判定出力信号を送出する一致判定手段と、
利用者の操作により、懸賞募集番組の懸賞への応募に関する応募指令を入力するキー入力手段と、
前記判定結果が両者の一致を示すときに前記一致判定手段から送出される判定出力信号を受けると、前記キー入力手段から入力された応募指令に従い、前記各抽出手段に保持された応募資格情報及び制御情報に基づいて、懸賞募集番組データ毎に設定された応募処理を実行する応募処理手段と、
前記判定結果が両者の不一致を示すとき又は前記応募資格情報抽出手段が視聴必須データ識別番号を保持していないときに前記一致判定手段から送出される判定出力信号を受けると、前記募集放送内情報抽出手段に保持された制御情報に基づいて、前記応募指令による応募処理に関して制限を加える制限手段と、
を備えたことを特徴とする受信装置。
【請求項６】
請求項５に記載の受信装置において、
前記応募資格情報抽出手段は、電子透かしとして挿入された前記視聴必須データ識別番号及び前記応募資格情報を前記視聴必須データから抽出し、
前記番組内情報抽出手段は、電子透かしとして挿入された前記視聴必須データ識別番号及び前記制御情報を前記懸賞募集番組データから抽出することを特徴とする受信装置。
【請求項７】
請求項５又は請求項６に記載の受信装置において、
前記一致判定手段による判定結果が両者の一致を示すときに当該一致判定手段から送出される判定出力信号を受けると、前記キー入力手段から入力された応募指令に従い、前記各抽出手段に保持された応募資格情報及び制御情報に基づいて、懸賞募集番組データ毎に設定された前記応募処理を実行する応募処理手段、
を備えたことを特徴とする受信装置。
【請求項８】
請求項５乃至請求項７のいずれか１項に記載の受信装置において、
前記キー入力手段、前記応募処理手段及び前記制限手段に代えて、
利用者の操作により、懸賞募集番組への参加に関する参加指令を入力する参加指令キー入力手段と、
前記判定結果が両者の一致を示すときに前記一致判定手段から送出される判定出力信号を受けると、前記参加指令キー入力手段から入力された参加指令に従い、前記各抽出手段に保持された応募資格情報及び制御情報に基づいて、懸賞募集番組データ毎に設定された参加処理を実行する参加処理手段と、
前記判定結果が両者の不一致を示すとき又は前記応募資格情報抽出手段が視聴必須データ識別番号を保持していないときに前記一致判定手段から送出される判定出力信号を受けると、前記募集放送内抽出手段に保持された制御情報に基づいて、前記参加処理手段による参加処理に関して制限を加える参加制限手段と、
を備えたことを特徴とする受信装置。
【請求項９】
視聴必須データ識別番号及び応募資格情報を挿入した視聴必須データと、視聴必須データ識別番号及び制御情報を挿入した懸賞募集番組データとを順次同一チャンネルで送信する放送装置から離間して配置され且つ前記放送装置から送信された視聴必須データ及び懸賞募集番組データを受信し、当該視聴必須データ及び懸賞募集番組データを別々に送出する受信部を備えた受信装置のプログラムであって、
前記受信装置のコンピュータを、
前記受信部から送出された視聴必須データから視聴必須データ識別番号及び応募資格情報を抽出して保持する応募資格情報抽出手段、
前記受信部から送出された懸賞募集番組データから視聴必須データ識別番号及び制御情報を抽出し、前記制御情報を保持する一方、当該視聴必須データ識別番号を送出する募集放送内情報抽出手段、
前記募集放送内情報抽出手段から受けた視聴必須データ識別番号と、応募資格情報抽出手段に保持された視聴必須データ識別番号とが一致するか否かを判定し、この判定結果に応じて判定出力信号を送出する一致判定手段、
利用者の操作により、懸賞募集番組の懸賞への応募に関する応募指令を入力するキー入力手段、
前記判定結果が両者の不一致を示すとき又は前記応募資格情報抽出手段が視聴必須データ識別番号を保持していないときに前記一致判定手段から送出される判定出力信号を受けると、前記募集放送内情報抽出手段に保持された制御情報に基づいて、前記応募指令による応募処理に関して制限を加える制限手段、
として機能させるためのプログラム。
【請求項１０】
請求項９に記載のプログラムにおいて、
前記応募資格情報抽出手段は、電子透かしとして挿入された前記視聴必須データ識別番号及び前記応募資格情報を前記視聴必須データから抽出し、
前記番組内情報抽出手段は、電子透かしとして挿入された前記視聴必須データ識別番号及び前記制御情報を前記懸賞募集番組データから抽出することを特徴とするプログラム。
【請求項１１】
請求項９又は請求項１０に記載のプログラムにおいて、
前記受信装置のコンピュータを、
前記一致判定手段による判定結果が両者の一致を示すときに当該一致判定手段から送出される判定出力信号を受けると、前記キー入力手段から入力された応募指令に従い、前記各抽出手段に保持された応募資格情報及び制御情報に基づいて、懸賞募集番組データ毎に設定された前記応募処理を実行する応募処理手段、
として機能させるためのプログラム。
【請求項１２】
請求項９乃至請求項１１のいずれか１項に記載のプログラムにおいて、
前記受信装置のコンピュータを、
前記キー入力手段、前記応募処理手段及び前記制限手段に代えて、
利用者の操作により、懸賞募集番組への参加に関する参加指令を入力する参加指令キー入力手段、
前記判定結果が両者の一致を示すときに前記一致判定手段から送出される判定出力信号を受けると、前記参加指令キー入力手段から入力された参加指令に従い、前記各抽出手段に保持された応募資格情報及び制御情報に基づいて、懸賞募集番組データ毎に設定された参加処理を実行する参加処理手段、
前記判定結果が両者の不一致を示すとき又は前記応募資格情報抽出手段が視聴必須データ識別番号を保持していないときに前記一致判定手段から送出される判定出力信号を受けると、前記募集放送内抽出手段に保持された制御情報に基づいて、前記参加処理手段による参加処理に関して制限を加える参加制限手段、
として機能させるためのプログラム。
【発明の詳細な説明】
【技術分野】
【０００１】
本発明は、デジタル放送に用いられる放送システム、受信装置及びプログラムに係り、特に、視聴者側で放送番組の前提情報がカットされた場合に、放送番組の利用を制限し得る放送システム、受信装置及びプログラムに関する。
【背景技術】
【０００２】
一般に、地上波放送等の放送局は、放送番組を無料で視聴可能に送信する一方、放送番組の途中に予め提供されたコマーシャルを挿入することにより、このコマーシャルを提供するコマーシャル提供会社から番組制作の費用等を得ている。
【０００３】
すなわち、放送番組は、コマーシャルと共に視聴されることを重要な前提として、放送局とコマーシャル提供会社の協力により、無料で放送される。
【０００４】
換言すると、視聴者がコマーシャル時に別のチャンネルに切換えたり、ビデオレコーダ等に搭載されたコマーシャルカット機能によってコマーシャルを削除して記録・再生したりするコマーシャルカット現象は、前述した重要な前提を崩すことにつながる。この種のコマーシャルカット現象は、特に有効な手法はないが、視聴者側でも煩雑な操作を要するので、頻度が少なく、問題にならないと考えられる。
【０００５】
しかしながら、地上波放送がデジタル放送に移行した場合、放送番組とコマーシャルとを区別してコマーシャルをカットすることが技術的に容易になるので、視聴者側の機器にコマーシャルカット機能が普及してしまう可能性がある。
【０００６】
また、デジタル放送を記録するハードディスクレコーダは、コマーシャルカット機能を有して今後の大きな普及が予想されるので、深刻な問題につながる可能性がある。
【発明の開示】
【発明が解決しようとする課題】
【０００７】
以上説明したように、デジタル放送では、放送番組とコマーシャルとを区別することが容易になり、コマーシャルカット機能が視聴者側の機器に普及してしまう可能性がある。
【０００８】
しかしながら、この種のコマーシャルカット機能は、コマーシャルが視聴されるという無料放送の重要な前提を崩すことにつながるので、放送局側及びコマーシャル提供会社側としては阻止されることが望ましい。
【０００９】
また、これと類似して、放送番組を視聴した視聴者に分かる問題を番組の最後に出し、その回答を懸賞の応募条件として用いる懸賞募集番組が知られている。
【００１０】
この場合、番組を視聴することが重要な前提であるが、放送局側としてはあまり難しい問題を出す訳にもいかない事情がある。このため、応募者の中に番組を視聴せずに、懸賞の応募部分のみを視聴して回答を作成する者が出る可能性を生じさせてしまう。
【００１１】
コマーシャルカット又は懸賞応募番組のいずれにしても、視聴者が放送番組の前提情報を視聴しないにも関わらず、前提情報を視聴したと同様の利益を得られることになる。しかしながら、このようなことは放送局側としては阻止される方が望ましい。
【００１２】
本発明は上記実情を考慮してなされたもので、視聴者側で放送番組の前提情報がカットされた場合に、放送番組の利用を制限し得る放送システム、受信装置及びプログラムを提供することを目的とする。
【課題を解決するための手段】
【００１３】
第１の発明は、入力された視聴必須データに視聴必須データ識別番号を割り当て、この視聴必須データ識別番号を前記視聴必須データ内に挿入すると共に、この視聴必須データ識別番号に対応する応募資格情報を前記視聴必須データに挿入して得られた視聴必須データを送出する応募資格情報挿入手段と、入力された懸賞募集番組データに前記応募資格情報挿入手段で割り当てられた視聴必須データ識別番号を挿入すると共に、この懸賞募集番組データに対応する制御情報をも前記懸賞募集番組データに挿入して得られた懸賞募集番組データを送出する募集放送内情報挿入手段と、前記応募資格情報挿入手段から送出された視聴必須データと、前記募集放送内情報挿入手段から送出された懸賞募集番組データとを順次同一チャンネルで送信する送信手段と、前記応募資格情報挿入手段、前記募集放送内情報挿入手段及び前記送信手段を備えた放送装置と、前記放送装置から送信された視聴必須データ及び懸賞募集番組データを受信し、当該視聴必須データ及び懸賞募集番組データを別々に送出する受信手段と、前記受信手段から送出された視聴必須データから視聴必須データ識別番号及び応募資格情報を抽出して保持する応募資格情報抽出手段と、前記受信手段から送出された懸賞募集番組データから視聴必須データ識別番号及び制御情報を抽出し、前記制御情報を保持する一方、当該視聴必須データ識別番号を送出する募集放送内抽出手段と、前記募集放送内抽出手段から受けた視聴必須データ識別番号と、応募資格情報抽出手段に保持された視聴必須データ識別番号とが一致するか否かを判定し、この判定結果に応じて判定出力信号を送出する一致判定手段と、利用者の操作により、懸賞募集番組の懸賞への応募に関する応募指令を入力するキー入力手段と、前記判定結果が両者の一致を示すときに前記一致判定手段から送出される判定出力信号を受けると、前記キー入力手段から入力された応募指令に従い、前記各抽出手段に保持された応募資格情報及び制御情報に基づいて、懸賞募集番組データ毎に設定された応募処理を実行する応募処理手段と、前記判定結果が両者の不一致を示すとき又は前記応募資格情報抽出手段が視聴必須データ識別番号を保持していないときに前記一致判定手段から送出される判定出力信号を受けると、前記募集放送内抽出手段に保持された制御情報に基づいて、前記応募処理手段による応募処理に関して制限を加える制限手段と、前記受信手段、前記応募資格情報抽出手段、前記募集放送内抽出手段、前記一致判定手段、前記キー入力手段、前記応募処理手段及び前記制限手段を備えた受信装置と、を備えた放送システムである。
【００１４】
第２の発明は、第１の発明において、前記受信装置としては、前記キー入力手段、前記応募処理手段及び前記制限手段に代えて、利用者の操作により、懸賞募集番組への参加に関する参加指令を入力する参加指令キー入力手段と、前記判定結果が両者の一致を示すときに前記一致判定手段から送出される判定出力信号を受けると、前記参加指令キー入力手段から入力された参加指令に従い、前記各抽出手段に保持された応募資格情報及び制御情報に基づいて、懸賞募集番組データ毎に設定された参加処理を実行する参加処理手段と、前記判定結果が両者の不一致を示すとき又は前記応募資格情報抽出手段が視聴必須データ識別番号を保持していないときに前記一致判定手段から送出される判定出力信号を受けると、前記募集放送内抽出手段に保持された制御情報に基づいて、前記参加処理手段による参加処理に関して制限を加える参加制限手段と、を備えた放送システムである。
【００１５】
これにより、第１又は第２の発明では、視聴必須データを前提情報としたとき、視聴者側で放送番組の前提情報がカットされた場合に、応募資格情報が欠けるので、懸賞募集番組の懸賞への応募又は参加を制限することができる。
【００１６】
なお、第１の発明は、「システム」として表現した場合を説明したが、これに限らず、全体又は個々の「装置」、全体又は各装置毎の「方法」、各装置毎の「プログラム」として表現してもよい。
【発明の効果】
【００１７】
以上説明したように本発明によれば、視聴者側で放送番組の前提情報がカットされた場合に、放送番組の利用を制限できる。
【発明を実施するための最良の形態】
【００１８】
以下、本発明の各実施形態について図面を参照しながら説明する。なお、以下の各実施形態の概要は、制御情報を含むコマーシャルデータ（又は必須視聴データ）を送信することにより、コマーシャルデータをカットした視聴者には、制御情報がカットされて、放送番組の利用が制限されるというものである。
【００１９】
さてこのような各実施形態は、例えば予めスクランブルした放送番組を放送する放送局と、予め一定の義務をもつライセンスを受けて第１秘密情報を保有した受信機器とからなり、この受信機器のみが放送番組のデスクランブルに必要な第２秘密情報等を得られるサービス形態が望ましい。
【００２０】
また、後述する制御情報１，２はコマーシャル又は放送番組の映像信号又は音声信号内に電子透かしとして埋込まれてもよく、又はブランキング期間に挿入されてもよく、また、番組の補助情報として送られる制御プログラムなど、放送番組データに同期した様々なデータに挿入してもよい。
【００２１】
また、放送番組がスクランブルされている場合には、スクランブルを解くために必要な情報をコマーシャル内に挿入する形態としてもよい。さらに、コマーシャルを視聴した場合に限り、番組の記録が許可され、一時停止、巻き戻し、早送りなどの特殊再生を可能にさせる形態としてもよい。
【００２２】
（第１の実施形態）
図１は本発明の第１の実施形態に係る放送システムの構成を示す模式図である。この放送システムは、放送番組とコマーシャルを放送する放送局１０と、この放送局１０から放送された放送番組とコマーシャルを受信する放送受信機２０とから構成される。
【００２３】
ここで、放送局１０は、ＣＭ内情報挿入部１１、番組内情報挿入部１２及び送信部１３を備えている。
【００２４】
ＣＭ内情報挿入部１１は、入力されたコマーシャルデータ（以下、ＣＭデータという）にＣＭ ＩＤ（ＣＭ識別番号）を割当てる機能と、割当てたＣＭ ＩＤをＣＭデータ内に挿入すると共に、このＣＭ ＩＤに対応する制御情報１をＣＭデータに挿入する機能と、挿入して得たＣＭデータを送信部１３に送出する機能とをもっている。
【００２５】
ここで、ＣＭ ＩＤは、ＣＭカット記録のみを阻止する場合には番組内に連続的に挿入されるＣＭには同一のＣＭ ＩＤを割当てればよいが、特定ＣＭ毎に異なる制御をしたい場合には個別のＣＭ ＩＤが割当てられる。
【００２６】
また、制御情報１としては、例えば、番組の録画制御情報、録画後の再生制御情報、視聴者参加型番組の場合には参加権の制御情報等が使用可能となっている。なお、ＣＭ ＩＤや制御情報の挿入方法としては、映像のブランキング期間や映像或いは音声信号内に電子透かしとして埋込む方法等が使用可能となっており、これは次の番組内情報挿入部１２でも同様である。
【００２７】
番組内情報挿入部１２は、入力された番組データにＣＭ内情報挿入部１１で割当てられたＣＭ ＩＤを挿入すると共に、この番組データに対応する制御情報２をも番組データに挿入し、得られた番組データを送信部１３に送出する機能をもっている。
【００２８】
ここで、制御情報２は、制御情報１と同様の内容の他に、ＣＭを受信していない場合の番組視聴・記録制御に使用される情報等も含まれる。
【００２９】
送信部１３は、これらＣＭ内情報挿入部１１から送出されたＣＭデータと、番組内情報挿入部１２から送出された番組データとを放送受信機２０に送信する機能をもっている。
【００３０】
一方、放送受信機２０は、受信部２１、ＣＭ内情報抽出部２２、番組内情報抽出部２３、一致判定部２４、許可回路２５及び制限回路２６を備えている。なお、放送受信機２０は、ハードウェア構成、又はハードウェア構成と一部がソフトウェアの構成により、実現可能であるが、ソフトウェア構成により実現される部分は、例えば記憶媒体又はネットワークからプログラムが予め放送受信機２０のコンピュータにインストールされている。また、放送受信機２０のうち、ソフトウェア構成で実現してもよい部分は、例えば受信部２１を除く各部２２〜２６である。
【００３１】
さて、受信部２１は、放送局１０から送信されたＣＭデータ及び番組データを受信する機能と、受信したＣＭデータをＣＭ内情報抽出部２２に送出し、また、受信部２１が受信した番組データを番組内情報抽出部２３に送出する機能とをもっている。
【００３２】
ＣＭ内情報抽出部２２は、受信部２１から送出されたＣＭデータからＣＭ ＩＤ及び制御情報１を抽出し、これらを保持しておく機能をもっている。なお、抽出する方式は、放送局１０側で挿入する方式に応じて設けられる。例えば放送局１０側で電子透かしとして挿入される場合は、電子透かしの抽出方式が設けられる。これは次の番組内情報抽出部２３も同様である。
【００３３】
番組内情報抽出部２３は、受信部２１から受けた番組データからＣＭ ＩＤ及び制御情報２を抽出し、制御情報２を保持する一方、ＣＭ ＩＤを一致判定部２４に送出する機能をもっている。
【００３４】
一致判定部２４は、番組内情報抽出部２３から受けたＣＭ ＩＤと、ＣＭ内情報抽出部２２に保持されたＣＭ ＩＤとを比較し、両者が一致するか否かを判定する機能と、この判定結果が両者の不一致を示すとき又はＣＭ内情報抽出部２２がＣＭ ＩＤを保持していないとき、判定出力信号を制限回路２６に送出する機能と、判定結果が両者の一致を示すとき、判定出力信号を許可回路２５に送出する機能とをもっている。
【００３５】
許可回路２５は、一致判定部２４から判定出力信号を受けると、各抽出回路２２，２３に保持された制御情報１及び制御情報２に基づいて、番組データ毎に設定された多様な記録再生制御や様々なサービス等を許可する機能をもっている。
【００３６】
制限回路２６は、一致判定部２４から判定出力信号を受けると、番組内情報抽出部２３に保持された制御情報２に基づいて、デジタル放送の記録、再生及びサービスに関して制限を加える機能をもっている。
【００３７】
次に、以上のように構成された放送システムの動作を説明する。
【００３８】
放送局１０においては、番組データと、番組内に放送されるコマーシャルデータ（以下、ＣＭデータという）とが用意される。ＣＭデータはＣＭ内情報挿入部１１に入力され、番組データは番組内情報挿入部１２に入力される。
【００３９】
ＣＭ内情報挿入部１１は、ＣＭデータが入力されると、各々のＣＭデータにＣＭ ＩＤを割当て、このＣＭ ＩＤをＣＭデータ内に挿入すると共に、このＣＭ ＩＤに対応する制御情報１をＣＭデータに挿入し、得られたＣＭデータを送信部１３に送出する。
【００４０】
同様に、番組内情報挿入部１２は、番組データが入力されると、番組データに上記割当てられたＣＭ ＩＤを挿入すると共に、この番組データに対応する制御情報２をも番組データに挿入し、得られた番組データを送信部１３に送出する。
【００４１】
送信部１３は、これらＣＭデータと番組データを放送受信機２０に送信する。
【００４２】
一方、放送受信機２０においては、受信部２１が受信したＣＭデータをＣＭ内情報抽出部２２に送出し、また、受信部２１が受信した番組データを番組内情報抽出部２３に送出する。
【００４３】
ＣＭ内情報抽出部２２は、このＣＭデータからＣＭ ＩＤ及び制御情報１を抽出し、これらを保持しておく。なお、最初にＣＭを受信せずに番組を受信した場合にはこのＣＭ内情報抽出部２２の処理を跳ばして次の番組内情報抽出部２３の処理に進む。
【００４４】
番組内情報抽出部２３は、受信部２１から受けた番組データからＣＭ ＩＤ及び制御情報２を抽出し、制御情報２を保持する一方、ＣＭ ＩＤを一致判定部２４に送出する。
【００４５】
一致判定部２４は、このＣＭ ＩＤと、ＣＭ内情報抽出部２２に保持されたＣＭ ＩＤとを比較し、両者が一致するか否かを判定し、この判定結果が両者の不一致を示すとき又はＣＭ内情報抽出部２２がＣＭ ＩＤを保持していないとき、判定出力信号を制限回路２６に送出する。
【００４６】
制限回路２６は、判定出力信号を受けると、番組内情報抽出部２３に保持された制御情報２に基づいて、デジタル放送の記録、再生及びサービスに関して制限を加える。
【００４７】
制限としては、“記録が許可されない”、“視聴者参加番組の場合には参加資格が得られない”等、番組によって様々な制限が使用可能となっている。
【００４８】
一方、一致判定部２４は、判定結果が両者の一致を示すとき、判定出力信号を許可回路２５に送出する。
【００４９】
許可回路２５は、判定出力信号を受けると、各抽出回路２２，２３に保持された制御情報１及び制御情報２に基づいて、番組データ毎に設定された多様な記録再生制御や様々なサービス等を許可する。これにより、記録再生制御や様々なサービス等を視聴者に享受可能な状態にすることができる。
【００５０】
例えば、視聴者参加番組の場合、制御情報１の一部として参加権利情報を送ることにより、視聴者が番組に参加するサービスを享受することができる。
【００５１】
上述したように本実施形態によれば、コマーシャル及びそのコマーシャルによって提供される番組データに関連情報（ＣＭ ＩＤ）や制御情報１，２を埋込むことによって、視聴者によるコマーシャルカットを効果的に抑制することができる。
【００５２】
例えば、視聴者側で放送番組のＣＭデータがカットされた場合に、制御情報１が欠けるので、放送番組の利用を制限することができる。
【００５３】
また、放送番組の視聴、記録、特殊再生や番組参加可否などを、コマーシャル或いは番組の特定期間に埋込まれたＩＤ情報等の視聴履歴情報に基づいて、番組提供者の意図に応じて制御することができる。
【００５４】
（第２実施形態）
図２は本発明の第２の実施形態に係る放送システムに適用される放送局の構成を示す模式図であり、図３は同システムに適用される放送受信機の構成を示す模式図であって、図１と同種の要素には同一符号を付してその詳しい説明を省略し、ここでは異なる部分について主に述べる。なお、以下の実施形態も同様にして重複した説明を省略する。
【００５５】
すなわち、本実施形態は、第１の実施形態の具体例であり、放送局１０及び法送受信機２０の構成が詳細に示されている。
【００５６】
ここで、放送局１０は、前述した構成において、受信部１３がデータ多重化部１３ａ及びスクランブラ１３ｂを備えたものとなっている。
【００５７】
データ多重化部１３ａは、前述同様の各情報挿入部１１，１２から受けた挿入処理後のＣＭデータ及び番組データと、プログラムデータや文字放送データ等のその他データとを多重化し、得られた多重データをスクランブラ１３ｂに送出する機能をもっている。
【００５８】
スクランブラ１３ｂは、データ多重化部１３ａから受けた多重データをスクランブル処理し、得られた放送データを送信する機能をもっている。
【００５９】
一方、放送受信機２０は、前述した構成において、受信部２１が、チューナ部２１ａ、デスクランブラ２１ｂ及び多重データ分離部２１ｃを備えたものとなっている。また、放送受信機２０は、メモリ２２ａ、制御回路２７、映像音声デコード部２８、キー入力部２９、別体のリモコン２９ａ、ハードディスク（ＨＤＤ）３０を備えている。
【００６０】
ここで、チューナ部２１ａは、放送局１０から送信された放送データを図示しないアンテナを介して受信すると、キー入力部２９の操作により、放送データの選択、復調、データの誤り訂正処理を行い、パケット形式の信号をデスクランブラ２１ｂに送出する機能をもっている。
【００６１】
デスクランブラ２１ｂは、チューナ部２１ａから受けたパケット形式の信号をデスクランブル処理し、得られた多重データを多重データ分離部２１ｃに送出する機能をもっている。
【００６２】
多重データ分離部２１ｃは、デスクランブラ２１ｂから受けた多重データをＣＭデータ、番組データ及びその他データに分離する機能と、ＣＭデータをＣＭ内情報抽出部２２に送出する機能と、番組データを番組内情報抽出部２３に送出する機能と、その他データを対応する図示しない処理部に送出する機能とをもっている。
【００６３】
メモリ２２ａは、ＣＭ内情報抽出部２２により抽出されたＣＭ ＩＤ及び制御情報１を一致判定部２４から読出可能に保持するものである。
【００６４】
制御回路２７は、前述した許可回路２５及び制限回路２６の機能をもつものであり、具体的には一致判定部２４から判定出力信号“一致（Ｙｅｓ）”及び制御信号１，２を受けると、これら制御情報１，２に基づいて、番組データ毎に設定された多様な記録再生制御や様々なサービス等を実行する機能をもっている。
【００６５】
ここで、制御情報１，２に基づく実行内容は、例えば、キー入力部２９からの記録指令に従い、各情報抽出部２２，２３から得られたＣＭデータ及び番組データに含まれる映像音声データをハードディスク３０に記録する機能や、キー入力部２９からの再生指令に従い、ハードディスク３０に記録した映像音声データを映像音声デコード部２８に入力する機能や、キー入力部２９からの早送り／巻き戻し指令に従い、早送り／巻き戻し制御のための再生制御信号を映像音声デコード部に入力する機能などがある。すなわち、制御情報１，２に基づく実行内容としては、“記録再生機能に関して一切制限なし”、“特別モードの実行許可”等、様々なものがある。
【００６６】
また、制御回路２７は、一致判定部２４から判定出力信号“不一致（Ｎｏ）”及び制御信号２を受けると、この制御情報２に基づいて、“一致”のときに実行可能な処理に関して制限を加える機能をもっている。制限としては、“記録が許可されない”、“記録再生時に特別モードが使用できない”等、番組によって様々な制限が使用可能となっている。
【００６７】
なお、再生時の制限は、例えば一方の制御情報２を映像音声信号と共にハードディスク３０に記録し、再生時に制御回路２７に解釈させることにより実現可能となっている。  
同様に、制限の無い再生は、両方の制御情報１，２を映像音声信号と共にハードディスク３０に記録し、再生時に制御回路２７に解釈させることにより実現してもよく、あるいは予め再生には制限無しとすることで実現してもよい。
【００６８】
映像音声デコード部２８は、各情報抽出部２２，２３から得られたＣＭデータ及び番組データに含まれる映像音声データをデコードし、映像音声出力を行なうものである。
【００６９】
キー入力部２９は、キー入力部２９本体のキー入力操作又は別体として設けられたリモコン２９ａの操作に基づいて、通常のテレビジョン装置のチャンネル選択指令や音量調整指令などをチューナ部２１ａに入力する他に、放送内容の記録再生に関する記録指令、再生指令、早送り指令、巻き戻し指令などを制御回路２７に入力する機能をもっている。
【００７０】
ハードディスク３０は、制御回路２７から読出／書込可能に、映像音声信号及び制御情報２（及び１）が記憶されるものであって、ここでは放送受信機２０に内蔵されているが、これに限らず、放送受信機２０の外部に接続されていてもよい。
【００７１】
次に、以上のように構成された放送システムの動作を説明する。  
いま、放送局１０は、前述した通り、各情報挿入部１１，１２がそれぞれＣＭ ＩＤ及び制御情報１が挿入されたＣＭデータと、同ＣＭ ＩＤ及び制御情報２が挿入された番組データとを受信部１３に送出する。
【００７２】
受信部１３においては、データ多重化部１３ａがＣＭデータ及び番組データと、プログラムデータや文字放送データ等のその他データとを多重化し、得られた多重データをスクランブラ１３ｂに送出する。
【００７３】
スクランブラ１３ｂは、多重データをスクランブル処理し、得られた放送データを送信する。
【００７４】
一方、放送受信機２０の受信部２１においては、チューナ部２１ａが放送データを受信し、選択・復調等の後に得られたパケット形式の信号をデスクランブラ２１ｂに送出し、デスクランブラ２１ｂがこの信号に含まれるＣＭデータ、番組データ及びその他データをデスクランブルして多重データ分離部２１ｃに送出する。
【００７５】
多重データ分離部２１ｃは、ＣＭデータ及び番組データや、プログラムデータ、文字放送データなどの個々のデータを分離し、ＣＭデータをＣＭ内情報抽出部２２に送出し、番組データを番組内情報抽出部２３に送出し、その他データを対応する図示しない処理部に送出する。
【００７６】
ＣＭ内情報抽出部２２は、前述同様に、このＣＭデータからＣＭ ＩＤ及び制御情報１を抽出し、このＣＭ ＩＤ及び制御情報１をメモリ２２ａに書込むと共に、ＣＭデータの映像音声データを映像音声デコード部２８に送出する。
【００７７】
番組内情報抽出部２３は、受信部２１から受けた番組データからＣＭ ＩＤ及び制御情報２を抽出し、これらＣＭ ＩＤ及び制御情報２を一致判定部２４に送出すると共に、番組データの映像音声データを映像音声デコード部２８に送出する。
【００７８】
映像音声デコード部２８は、各情報抽出部２２，２３から送出された映像音声データをデコードし、映像音声出力を行なう。
【００７９】
一方、一致判定部２４は、番組内情報抽出部２３からのＣＭ ＩＤ及び制御情報２のうちのＣＭ ＩＤと、メモリ２２ａ内のＣＭ ＩＤとを比較し、両者が一致するか否かを判定する。
【００８０】
この判定結果が両者の不一致を示すとき又はメモリ２２ａがＣＭ ＩＤを保持していないとき、一致判定部２４は、判定出力信号“不一致”及び制御情報２を制御回路２７に送出し、判定結果が両者の一致を示すとき、判定出力信号“一致”及び制御情報１，２を制御回路２７に送出する。
【００８１】
制御回路２７は、判定出力信号“一致”及び制御信号１，２を受けると、番組データ毎に設定された多様な記録再生制御や様々なサービス等を実行可能とし、判定出力信号“不一致”及び制御信号２を受けると、“一致”のときに実行可能な処理に関して制限を加える。
【００８２】
この状態で、キー入力部２９は、キー入力部２９本体のキー入力操作又は別体として設けられたリモコン２９ａの操作に基づいて、放送内容の記録再生に関する記録指令、再生指令、早送り指令、巻き戻し指令などを制御回路２７に入力する。
【００８３】
制御回路２７は、キー入力部２９からの指令を受けると、判定出力信号の内容に従って記録再生制御やサービス等を実行するか又は制限するために、ハードディスク３０や映像音声デコード部２８を制御する。
【００８４】
上述したように本実施形態によれば、ハードディスク３０への記録／再生や、映像音声デコード部２８に対する再生制御、といった具体的な構成を備えたことにより、第１の実施形態と同様な効果を具体的に奏することができる。
【００８５】
（第３の実施形態）
図４は本発明の第３の実施形態に係る放送システムに適用された放送局の構成を示す模式図であり、図５は同システムに適用された放送受信機の構成を示す模式図である。
【００８６】
すなわち、本実施形態は、第２の実施形態の変形例であり、必須箇所を視聴した視聴者に対し、応募資格を与え、懸賞募集番組への応募及び／又は参加を可能としたものである。
【００８７】
ここで、放送局１０ｘは、図４に示すように、ＣＭデータを視聴必須データに読み替えると共に、ＣＭ ＩＤをＰ ＩＤ（視聴必須データの識別番号）に読み替えている。
【００８８】
同様に放送局１０ｘは、制御情報１を応募資格情報に読み替えると共に、制御情報２を制御情報に読み替えている。
【００８９】
また、放送局１０ｘは、ＣＭ内情報挿入部１１を応募資格情報挿入部１１ｘに読み替えると共に、番組内情報挿入部１２を募集放送内情報挿入部１２ｘに読み替えている。
【００９０】
ここで、視聴必須データは、懸賞募集番組内に放送される懸賞応募条件となるデータであり、例えば番組内の特定時間のデータや番組途中に挿入される懸賞賞品提供会社のＣＭなど、様々なものが使用可能となっている。
【００９１】
応募資格情報は、応募資格がある旨を示す情報であり、例えば応募に必要なパスワード等が使用可能となっている。
【００９２】
制御情報は、例えば、視聴必須データの特定（Ｐ ＩＤ）と、特定された視聴必須データが無いときの応募制限などの応募資格と、特定された視聴必須データの有無によらない応募期間やモデム接続先などの応募方法と、といった応募処理に関する情報である。
【００９３】
一方、以上の読替えに伴い、放送受信機２０ｘは、図５に示すように、ＣＭ内情報抽出部２２を応募資格情報抽出部２２ｘに読み替えると共に、番組内情報抽出部２３を募集放送内情報抽出部２３ｘに読み替えている。
【００９４】
また、キー入力部２９ｘは、前述した機能に加え、応募指令や参加指令を制御回路２７に入力するための応募ボタンや参加ボタンを備えたものとなっている。
【００９５】
また、放送受信機２０ｘは、契約情報等のユーザ情報を登録可能なメモリ３１を有し、制御回路２７により、懸賞の応募や参加のサービスを受ける際に、制御回路から受ける応募資格情報とメモリ３１から得られるユーザ情報とを電話回線３３に出力するためのモデム３２とを備えている。
【００９６】
なお、制御回路２７により制限が加えられる場合の制限としては、例えば“応募不可”、“応募可能賞品の限定”等、懸賞によって様々な制限が使用可能となっている。
【００９７】
懸賞募集番組データから抽出されたＰ ＩＤと一致するＰ ＩＤを既に保持していた場合には、制御回路によって応募資格情報及び制御情報に基づいて、懸賞毎に設定された手段（応募する際のモデム接続先等）によって当該懸賞に応募することができる。
【００９８】
以上のような構成により、第２の実施形態を、懸賞募集番組への応募又は参加に対して適用したので、第２の実施形態と同様の効果を懸賞募集番組に関して得ることができる。
【００９９】
なお、上記各実施形態に記載した手法は、コンピュータに実行させることのできるプログラムとして、磁気ディスク（フロッピー（登録商標）ディスク、ハードディスクなど）、光ディスク（ＣＤ−ＲＯＭ、ＤＶＤなど）、光磁気ディスク（ＭＯ）、半導体メモリなどの記憶媒体に格納して頒布することもできる。
【０１００】
また、この記憶媒体としては、プログラムを記憶でき、かつコンピュータが読み取り可能な記憶媒体であれば、その記憶形式は何れの形態であっても良い。
【０１０１】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が本実施形態を実現するための各処理の一部を実行しても良い。
【０１０２】
さらに、本発明における記憶媒体は、コンピュータと独立した媒体に限らず、ＬＡＮやインターネット等により伝送されたプログラムをダウンロードして記憶または一時記憶した記憶媒体も含まれる。
【０１０３】
また、記憶媒体は１つに限らず、複数の媒体から本実施形態における処理が実行される場合も本発明における記憶媒体に含まれ、媒体構成は何れの構成であっても良い。
【０１０４】
尚、本発明におけるコンピュータは、記憶媒体に記憶されたプログラムに基づき、本実施形態における各処理を実行するものであって、パソコン等の１つからなる装置、複数の装置がネットワーク接続されたシステム等の何れの構成であっても良い。
【０１０５】
また、本発明におけるコンピュータとは、パソコンに限らず、情報処理機器に含まれる演算処理装置、マイコン等も含み、プログラムによって本発明の機能を実現することが可能な機器、装置を総称している。
【０１０６】
なお、本願発明は、上記各実施形態に限定されるものでなく、実施段階ではその要旨を逸脱しない範囲で種々に変形することが可能である。また、各実施形態は可能な限り適宜組み合わせて実施してもよく、その場合、組み合わされた効果が得られる。さらに、上記各実施形態には種々の段階の発明が含まれており、開示される複数の構成用件における適宜な組み合わせにより種々の発明が抽出され得る。例えば実施形態に示される全構成要件から幾つかの構成要件が省略されることで発明が抽出された場合には、その抽出された発明を実施する場合には省略部分が周知慣用技術で適宜補われるものである。
【０１０７】
その他、本発明はその要旨を逸脱しない範囲で種々変形して実施できる。
【図面の簡単な説明】
【０１０８】
【図１】本発明の第１の実施形態に係る放送システムの構成を示す模式図
【図２】第２の実施形態に係る放送システムに適用される放送局の構成を示す模式図
【図３】同実施形態における放送受信機の構成を示す模式図
【図４】本発明の第３の実施形態に係る放送システムに適用された放送局の構成を示す模式図
【図５】同実施形態における放送受信機の構成を示す模式図
【符号の説明】
【０１０９】
１０，１０ｘ…放送局、１１…ＣＭ内情報挿入部、１１ｘ…応募資格情報挿入部、１２…番組内情報挿入部、１２ｘ…募集放送内情報挿入部、１３…送信部、１３ａ…データ多重化部、１３ｂ…スクランブラ、２０，２０ｘ…放送受信機、２１…受信部、２１ａ…チューナ部、２１ｂ…デスクランブラ、２１ｃ…多重データ分離部、２２…ＣＭ内情報抽出部、２２ｘ…応募資格情報抽出部、２２ａ…メモリ、２３…番組内情報抽出部、２３ｘ…募集放送内情報抽出部、２４…一致判定部、２５…許可回路、２６…制限回路、２７…制御回路、２８…映像音声デコード部、２９…キー入力部、２９ａ…別体のリモコン、３０…ハードディスク。
【図１】
2008104239.tif 000003
【図２】
2008104239.tif 000004
【図３】
2008104239.tif 000005
【図４】
2008104239.tif 000006
【図５】
2008104239.tif 000007